(57)【要約】【課題】  コンビニエンスストアに代わる会社ビル内などにおける販売スペースが、顧客にとって便利に使用されて、販売者においては販売量が向上されるようにする。【解決手段】  物品の販売を行うための複数の販売スペース２と、物品の冷蔵機能を持ち、複数の販売スペースに対して物品の搬送ができるように複数の販売スペースを含むエリアＡ内に移動可能に待機配置される物品貯蔵移動手段３とを備え、販売スペース２における販売物品を物品貯蔵移動手段３が搬送して提供する物品販売システム。【選択図】図１
2015079287.tif 000002
【特許請求の範囲】
【請求項１】
物品の販売を行うための複数の販売スペースと、
前記物品の冷蔵機能を持ち、前記複数の販売スペースに対して前記物品の搬送ができるように前記複数の販売スペースを含むエリア内に移動可能に待機配置される物品貯蔵移動手段と、を備え、
前記販売スペースにおける販売物品を、前記物品貯蔵移動手段が搬送して提供することを特徴とする物品販売システム。
【請求項２】
自身が移動可能に物品の販売に使用され、移動することで自身の所有物品もしくは前記物品貯蔵移動手段の貯蔵物品を前記販売スペースに搬送して提供する小型移動販売体を備える請求項１記載の物品販売システム。
【請求項３】
前記小型移動販売体が、小型自動車もしくは自転車を使用するものである
請求２記載の物品販売システム。
【請求項４】
前記複数の販売スペースにおける販売物品のメニューデータを無線通信により提供するメニューデータ提供手段と、
前記メニューデータ提供手段から提供されるメニューデータを表示し、かつ、購入希望物品の注文を無線通信により行うための顧客側操作手段と、
前記購入希望物品の注文を受けた際にその応答を前記顧客側操作手段に無線通信により行う注文応答手段と、
を備える請求項１、２または３記載の物品販売システム。
【発明の詳細な説明】
【技術分野】
【０００１】
この発明は、会社内等においての物品販売が好適になされる物品販売システムに関する。
【背景技術】
【０００２】
現在、ビジネス街にもコンビニエンスストアが多数存在し、飲料水や昼食等が広く販売されている。しかしながら、例えば、高層ビルに会社が有る場合、そこに勤める社員が外部のコンビニエンスストアにまで足を運ぶのには、時間、手間を要する。そこで、最近では、販売者が会社内の一部スペースに飲料水や菓子等を置き、社員がそれを購入できるシステムが採用されており、これにより、社員がコンビニエンスストア等に行くことなく容易に物品の購入できるようになっている。
【発明の概要】
【発明が解決しようとする課題】
【０００３】
この発明は上記のような物品販売システムが顧客にとって便利に使用されて、販売者においては販売量が向上されるように行ったものである。
【課題を解決するための手段】
【０００４】
この発明では、物品の販売を行うための複数の販売スペースと、前記物品の冷蔵機能を持ち、前記複数の販売スペースに対して前記物品の搬送ができるように前記複数の販売スペースを含むエリア内に移動可能に待機配置される物品貯蔵移動手段とを備え、前記販売スペースにおける販売物品を、前記物品貯蔵移動手段が搬送して提供することを特徴とする物品販売システムを提供する。
【０００５】
上記構成によれば、販売スペースにエリア内に待機する物品貯蔵移動手段によって物品が届けられることで、顧客は販売スペースに無かった希望購入物品の入手が短時間において可能となる。とくに、物品貯蔵移動手段が冷蔵機能を備えていることで、飲料、弁当、生菓子等が冷蔵状態で貯蔵、搬送されて販売スペースに供給されるので、顧客はそれらを美味しく、安全に飲食できる。物品貯蔵移動手段としては、例えば、冷蔵庫を備える中型トラックが使用される。エリアは物品貯蔵移動手段による全ての販売スペースへの物品の搬送提供が、例えば、３０分以内に行われる範囲に設定され、そのエリア内に１００〜２００の販売スペースが配置される。
【０００６】
上記販売システムは、さらに、自身が移動可能に物品の販売に使用され、移動することで自身の所有物品もしくは物品貯蔵移動手段の貯蔵物品を販売スペースに搬送して提供する小型移動販売体を備える構成とされる。
【０００７】
上記構成によれば、小回りが可能な小型移動販売体によって、路上や建物内等の適宜の場所での販売が行われて販売が促進されるとともに、不足販売物品を販売スペースに提供する際に、小型移動販売体がその販売スペースに近く位置する場合や交通事情により貯蔵移動手段の移動に時間がかかる場合は、貯蔵移動手段からの指示により小型移動販売体によっての販売スペースに対する物品の提供が行われる。小型移動販売体は自身が対応物品を所有している場合には直接に、所有していない場合には貯蔵移動手段から対応物品の提供を受けることで販売スペースに物品を提供する。これにより、より短時間にして販売スペースへの物品の提供が可能となる。また、小型移動販売体は自身の販売に際し何らかの販売物品が不足した際には、物品貯蔵移動手段からの販売物品の提供を受けることでの販売が可能となって、販売効率が向上される。小型移動販売体としては、小型自動車もしくはリヤカー付き自転車等を使用する。
【０００８】
上記販売システムは、さらに、複数の販売スペースにおける販売物品のメニューデータを無線通信により提供するメニューデータ提供手段と、メニューデータ提供手段から提供されるメニューデータを表示し、かつ、不足販売物品の注文を無線通信により行う顧客側操作手段と、不足販売物品の注文を受けた際にその応答を顧客側操作手段に無線通信により行う注文応答手段とを備える構成とされる。
【０００９】
上記構成によれば、メニューデータ提供手段から提供されるメニューデータが顧客側操作手段で確認されることで販売スペースにおける不足物品が認識でき、顧客側操作手段から不足販売物品（購入希望物品）の注文が行われると、それに対する応答が注文応答手段によりなされ、顧客は注文物品の入手の確認が行える。これにより、顧客は販売スペースに無い物品の注文購入が可能となる。
【発明の効果】
【００１０】
この発明によれば、顧客は会社内等に設けられた販売スペースにおいて、希望購入物品が無い場合においても短時間においてそれを入手でき、また、飲料、弁当、生菓子等の物品が冷蔵状態で貯蔵、搬送されて販売スペースに供給されるので、顧客はそれら物品を美味しく、安全に飲食できるようになる。従来の販売スペースの場合は、飲料は販売スペースに搬送された後そこにある冷蔵ショーケースにおいて冷却されたので冷却時間を要し、搬送の問題から弁当、生菓子等の販売も販売スペースで積極的には行われなかった。この発明では、冷蔵機能を持つ物品貯蔵移動手段を使用することでそれら問題を解消している。このようして、会社等において販売スペースが顧客に便利に使用されるようになるとともに、その使用頻度が高まることで販売量も向上されるようになる。
【図面の簡単な説明】
【００１１】
【図１】この発明の販売システムの構成図
【図２】この発明の販売システムで使用される通信構成図
【発明を実施するための形態】
【００１２】
図１はこの発明の物品販売システムＳの構成図である。物品販売システムＳにおいて、１は物品の販売会社本体、２のそれぞれは販売スペース、３はそれら販売スペース２それぞれを含むエリアＡ内に配置される貯蔵搬送自動車、４は小型販売自動車、５は販売自転車である。
【００１３】
販売会社本体１にはメーカーそれぞれから各種の物品が入荷されて貯蔵される。販売スペース２のそれぞれは、例えば、ビル６の会社スペースの一角に設けられ、販売物品のショウケース、さらに、冷蔵ショウケース等を備え、菓子、飲料、弁当等の多種類の物品を陳列販売する。顧客は代金を金銭投入箱に投入することで所望の物品を購入でき、物品の販売者が金銭投入箱の売上金を回収する。
【００１４】
貯蔵搬送自動車３は販売担当エリアＡ内に配置され、冷蔵庫７を備え、菓子、飲料、弁当等の多種類の物品を非冷蔵、冷蔵の状態で貯蔵し、販売会社本体１から販売スペース２それぞれに定期的に、例えば、午前９〜１１時に販売物品を搬送して提供し、定期的な販売物品の搬送業務を行わない時間帯、例えば、１３〜１８時には販売スペース２それぞれに２０分以内に到着できるエリアＡ内に待機している。貯蔵搬送自動車３の乗務者は台車を使用することで貯蔵搬送自動車３から販売スペース２に物品を運び、かつ、販売スペース２に所定の状態に物品を陳列するとともに売上金の回収を行う。
【００１５】
小型販売自動車４、販売自転車５はともに担当販売エリアＡ内に配置され、路上、建物内等において菓子、飲料、弁当等の多種類の物品を非冷蔵、冷蔵の状態で販売するように使用される。小型販売自動車４は後部ドアが開かれた部位に物品を陳列し、販売自転車５は牽引するリヤカー上に物品を陳列して販売を行う。小型販売自動車４、販売自転車５はともに販売会社本体１及び貯蔵搬送自動車３に貯蔵される物品の販売を行うとともに、貯蔵搬送自動車３に貯蔵される物品を販売スペース２に搬送するように使用される。
【００１６】
図２において、１０は販売会社本体１に設置されるメインコンピュータ（メニューデー
タ提供手段、注文応答手段）、１１は貯蔵搬送自動車３の乗務者が携帯するサブコンピュータ、１２のそれぞれは顧客が所有する携帯電話機（顧客側操作手段）であり、サブコンピュータ１１、携帯電話機１２のそれぞれはメインコンピュータ１０にインターネット回線により接続されている。メインコンピュータ１０は会社全体、さらには各貯蔵搬送自動車３の在庫データを持ち、携帯電話機１２に販売物品メニューデータを提供するとともに入力注文に自動的に応答する他、全ての管理業務に対応する動作を行う。サブコンピュータ１１は乗務者の操作により書き換えられる貯蔵搬送自動車３の在庫データをメインコンピュータ１１に送るとともに、ＧＰＳ信号の発信機能を持つ。メインコンピュータ１０は、サブコンピュータ１１からの在庫データを受け取ることで、会社全体、貯蔵搬送自動車３の在庫データを自動的に書き換える。
【００１７】
以下、物品販売システムＳの物品販売に関する動作を説明する。顧客は会員登録されている携帯電話機１２によってメインコンピュータ１０が提供する販売物品メニューが確認でき、販売スペース２において希望購入物品が無い場合には携帯電話機１２で注文入力を行い、その注文データはメインコンピュータ１０で受信される。携帯電話機１２での注文入力は販売物品のメニューデータ画面において行われ、メインコンピュータ１０は携帯電話機１２の会員登録番号から対応する販売スペース２を特定し、その対応するエリアＡに配置される貯蔵搬送自動車３の位置情報に基づいて物品の提供情報を、例えば「ありがとうございます。ご希望購入物品を１５分後にお届けします。」として携帯電話機１２に送信し、かつ、その物品の搬送指令を貯蔵搬送自動車３のサブコンピュータ１１に送信する。
【００１８】
上記の物品の搬送指令を受信することで貯蔵搬送自動車３は対応する販売スペース２が有るビル６等に向かって移動され、貯蔵搬送自動車３の乗務者によって注文物品が販売スペース２に陳列される。顧客は携帯電話１２の表示画面で上記提供情報を確認できるとともに、エリアＡ内に待機する貯蔵搬送自動車３によって物品が届けられることで販売スペース２に無かった希望購入物品の入手が短時間において可能となる。とくに、貯蔵搬送自動車３が冷蔵庫を備えていることで飲料、弁当、生菓子等が冷蔵状態で貯蔵、搬送されて販売スペース２に供給されるので、顧客はそれらを美味しく、安全に飲食できる。上記の販売スペース２に物品を提供した際に、乗務者はその物品の納品データをサブコンピュータ１１に操作入力する。これにより、貯蔵搬送自動車３のサブコンピュータ１１における在庫データが書き換えられ、乗務者によりその書き換えられた在庫データと納品データとがメインコンピュータ１０に送信操作される。
【００１９】
上記の物品の搬送指令をサブコンピュータ１１が受信した際に、小型販売自動車４、販売自転車５がその販売スペース２に近く位置する場合や渋滞等により貯蔵搬送自動車３の移動に時間がかかる場合は、貯蔵搬送自動車３からの電話連絡指示により小型販売自動車４、販売自転車５よっての販売スペース２に対する物品の提供がそれらの乗務者によりなされる。小型販売自動車４、販売自転車５は自身が対応物品を所有している場合には直接に、所有していない場合には貯蔵搬送自動車３から対応物品の提供を受けることで販売スペース２に物品を提供する。このようにして、より短時間にして販売スペース２に物品が届けられる。小型販売自動車４、販売自転車５は自身の販売に際し何らかの販売物品が不足した際には、貯蔵搬送自動車３からの販売物品の提供を受けることで、販売会社本体１に戻る手間が省かれて販売効率が向上される。
【符号の説明】
【００２０】
２  販売スペース    
３ 貯蔵搬送自動車（物品貯蔵移動手段）
Ａ  エリア
【図１】
2015079287.tif 000003
【図２】
2015079287.tif 000004